(57)【要約】  医療用ポンプ管理装置（３）は、ポンプ特定情報および区画特定情報を相互に関連付けて記憶可能な記憶部（３０）と、サーバ（２）から受信した区画特定情報が記憶部（３０）に記憶されているか否かを判定する区画登録判定部（３２）と、受信した区画特定情報が記憶部（３０）に記憶されてないときに、当該受信した区画特定情報に関連付けられたポンプ特定情報を仮登録する仮登録部（３４）と、記憶部（３０）に記憶されたポンプ特定情報で特定される医療用ポンプ（４）の状態をその区画特定情報とともに表示装置（７、８）に表示させ、仮登録されたポンプ特定情報で特定される医療用ポンプ（４）の状態をその配置区画または区画特定情報が仮であることを示して表示装置（７、８）に表示させる表示制御部（３９）とを備えている。
2017163777.tif 000002
【特許請求の範囲】
【請求項１】
サーバ、医療用ポンプ、および表示装置と通信可能に構成された医療用ポンプ管理装置であって、
前記サーバは、前記医療用ポンプを特定するポンプ特定情報および前記医療用ポンプの配置区画を特定する区画特定情報を相互に関連付けて送信可能に構成され、
前記ポンプ特定情報および前記区画特定情報を相互に関連付けて記憶可能な記憶部と、
前記サーバから受信した区画特定情報が前記記憶部に記憶されているか否かを判定する区画登録判定部と、
前記受信した区画特定情報が前記記憶部に記憶されてないときに、当該受信した区画特定情報に関連付けられたポンプ特定情報を仮登録する仮登録部と、
前記記憶部に記憶されたポンプ特定情報で特定される医療用ポンプの状態をその区画特定情報とともに前記表示装置に表示させ、前記仮登録されたポンプ特定情報で特定される医療用ポンプの状態をその配置区画または区画特定情報が仮であることを示して前記表示装置に表示させる表示制御部とを備えていることを特徴とする医療用ポンプ管理装置。
【請求項２】
第１サーバと、
前記第１サーバと通信可能な第２サーバと、
前記第２サーバと通信可能な医療用ポンプと、
前記第２サーバと通信可能な表示装置とを備え、
前記第１サーバは、前記医療用ポンプを特定するポンプ特定情報および前記医療用ポンプの配置区画を特定する区画特定情報を相互に関連付けて送信可能に構成され、
前記第２サーバは、
前記ポンプ特定情報および前記区画特定情報を相互に関連付けて記憶可能な記憶部と、
前記第１サーバから受信した区画特定情報が前記記憶部に記憶されているか否かを判定する区画登録判定部と、
前記受信した区画特定情報が前記記憶部に記憶されてないときに、当該受信した区画特定情報に関連付けられたポンプ特定情報を仮登録する仮登録部と、
前記記憶部に記憶されたポンプ特定情報で特定される医療用ポンプの状態をその区画特定情報とともに前記表示装置に表示させ、前記仮登録されたポンプ特定情報で特定される医療用ポンプの状態をその配置区画または区画特定情報が仮であることを示して前記表示装置に表示させる表示制御部とを備えていることを特徴とする医療用ポンプ管理システム。
【請求項３】
請求項２に記載の医療用ポンプ管理システムにおいて、
前記配置区画は、医療施設のベッドに対応しており、
前記表示制御部は、前記記憶部に記憶されたポンプ特定情報で特定される医療用ポンプの状態を前記ベッドの配置に合わせて前記表示装置に表示させ、前記仮登録されたポンプ特定情報で特定される医療用ポンプの状態を前記表示装置の所定の領域に表示させることを特徴とする医療用ポンプ管理システム。
【請求項４】
請求項２または請求項３に記載の医療用ポンプ管理システムにおいて、
前記第２サーバと通信可能な端末を備え、
前記端末は、前記仮登録されたポンプ特定情報を新たな区画特定情報と関連付けて前記記憶部に記憶させる関連付更新要求を送信可能に構成され、
前記第２サーバは、
前記新たな区画特定情報を生成する区画特定情報生成部と、
前記関連付更新要求を受信したときに、前記仮登録されたポンプ特定情報を前記新たな区画特定情報と関連付けて前記記憶部に記憶させる関連付更新部を備えていることを特徴とする医療用ポンプ管理システム。
【請求項５】
請求項２から請求項４のいずれか１項に記載の医療用ポンプ管理システムにおいて、
前記第１サーバは、前記医療用ポンプで施す処方箋情報を前記ポンプ特定情報および前記区画特定情報に相互に関連付けて送信可能に構成され、
前記表示制御部は、前記仮登録されたポンプ特定情報で特定される医療用ポンプの状態を前記処方箋情報とともに前記表示装置に表示可能に構成されていることを特徴とする医療用ポンプ管理システム。
【発明の詳細な説明】
【技術分野】
【０００１】
本発明は、医療用ポンプ管理装置および医療用ポンプ管理システムに関する。
【背景技術】
【０００２】
従来、複数の医療用ポンプを管理する医療用ポンプ管理装置が知られている（例えば、特許文献１参照）。
特許文献１に記載の医療用ポンプ管理装置は、ベッドに複数の医療用ポンプを関連付けてモニタに表示可能に構成されている。
【先行技術文献】
【特許文献】
【０００３】
【特許文献１】国際公開第２０１５／１４６６６３号
【発明の概要】
【発明が解決しようとする課題】
【０００４】
しかしながら、特許文献１に記載されたような従来の医療用ポンプ管理装置は、医療従事者がベッドと医療用ポンプとの関連付けを全て手動で行わなければならず、医療従事者の作業負担が大きいという問題がある。【０００５】
本発明の目的は、医療従事者の作業負担を軽減できる医療用ポンプ管理装置および医療用ポンプ管理システムを提供することにある。
【課題を解決するための手段】
【０００６】
本発明の医療用ポンプ管理装置は、サーバ、医療用ポンプ、および表示装置と通信可能に構成された医療用ポンプ管理装置であって、前記サーバは、前記医療用ポンプを特定するポンプ特定情報および前記医療用ポンプの配置区画を特定する区画特定情報を相互に関連付けて送信可能に構成され、前記ポンプ特定情報および前記区画特定情報を相互に関連付けて記憶可能な記憶部と、前記サーバから受信した区画特定情報が前記記憶部に記憶されているか否かを判定する区画登録判定部と、前記受信した区画特定情報が前記記憶部に記憶されてないときに、当該受信した区画特定情報に関連付けられたポンプ特定情報を仮登録する仮登録部と、前記記憶部に記憶されたポンプ特定情報で特定される医療用ポンプの状態をその区画特定情報とともに前記表示装置に表示させ、前記仮登録されたポンプ特定情報で特定される医療用ポンプの状態をその配置区画または区画特定情報が仮であることを示して前記表示装置に表示させる表示制御部とを備えていることを特徴とする。【０００７】
本発明の医療用ポンプ管理システムは、第１サーバと、前記第１サーバと通信可能な第２サーバと、前記第２サーバと通信可能な医療用ポンプと、前記第２サーバと通信可能な表示装置とを備え、前記第１サーバは、前記医療用ポンプを特定するポンプ特定情報および前記医療用ポンプの配置区画を特定する区画特定情報を相互に関連付けて送信可能に構成され、前記第２サーバは、前記ポンプ特定情報および前記区画特定情報を相互に関連付けて記憶可能な記憶部と、前記第１サーバから受信した区画特定情報が前記記憶部に記憶されているか否かを判定する区画登録判定部と、前記受信した区画特定情報が前記記憶部に記憶されてないときに、当該受信した区画特定情報に関連付けられたポンプ特定情報を仮登録する仮登録部と、前記記憶部に記憶されたポンプ特定情報で特定される医療用ポンプの状態をその区画特定情報とともに前記表示装置に表示させ、前記仮登録されたポンプ特定情報で特定される医療用ポンプの状態をその配置区画または区画特定情報が仮であることを示して前記表示装置に表示させる表示制御部とを備えていることを特徴とする。【０００８】
以上の本発明によれば、輸液の処方オーダ時にサーバから送信されるポンプ特定情報および区画特定情報を相互に関連付けて記憶させ、医療用ポンプの状態をその区画特定情報とともに表示装置に表示するため、医療従事者がベッドと医療用ポンプとの関連付けを手動で行う必要がなく、輸液を行う際の医療従事者の作業負担を軽減することができる。
また、区画特定情報が記憶されてないときに、当該区画特定情報に関連付けられたポンプ特定情報を仮登録し、仮登録されたポンプ特定情報で特定される医療用ポンプの状態をその配置区画または区画特定情報が仮であることを示して表示するため、区画特定情報が記憶されていなくても、当該区画特定情報に関連付けられた医療用ポンプの状態を表示することができる。【０００９】
本発明の医療用ポンプ管理システムにおいて、前記配置区画は、医療施設のベッドに対応しており、前記表示制御部は、前記記憶部に記憶されたポンプ特定情報で特定される医療用ポンプの状態を前記ベッドの配置に合わせて前記表示装置に表示させ、前記仮登録されたポンプ特定情報で特定される医療用ポンプの状態を前記表示装置の所定の領域に表示させることが好ましい。【００１０】
本発明によれば、医療用ポンプの状態をその配置区画に合わせて表示するとともに、仮登録されたポンプ特定情報で特定される医療用ポンプの状態を所定の領域に表示するため、医療用ポンプの配置を視覚的に認識できるとともに、どの医療用ポンプが仮登録されているかを容易に見分けることができる。【００１１】
本発明の医療用ポンプ管理システムは、前記第２サーバと通信可能な端末を備え、前記端末は、前記仮登録されたポンプ特定情報を新たな区画特定情報と関連付けて前記記憶部に記憶させる関連付更新要求を送信可能に構成され、前記第２サーバは、前記新たな区画特定情報を生成する区画特定情報生成部と、前記関連付更新要求を受信したときに、前記仮登録されたポンプ特定情報を前記新たな区画特定情報と関連付けて前記記憶部に記憶させる関連付更新部を備えていることが好ましい。【００１２】
本発明によれば、新たな区画特定情報を生成した上で、仮登録されたポンプ特定情報を新たな区画特定情報と関連付けて記憶するため、病棟や病室のレイアウト変更等により、登録されていない区画特定情報が存在する場合でも、当該区画特定情報にポンプ特定情報を関連付けることができる。【００１３】
本発明の医療用ポンプ管理システムにおいて、前記第１サーバは、前記医療用ポンプで施す処方箋情報を前記ポンプ特定情報および前記区画特定情報に相互に関連付けて送信可能に構成され、前記表示制御部は、前記仮登録されたポンプ特定情報で特定される医療用ポンプの状態を前記処方箋情報とともに前記表示装置に表示可能に構成されていることが好ましい。【００１４】
本発明によれば、仮登録された医療用ポンプの状態を処方箋情報とともに表示するため、当該医療用ポンプの状態を詳細に把握することができる。
【図面の簡単な説明】
【００１５】
【図１】本発明の一実施形態に係る医療用ポンプ管理システムの全体構成図。
【図２】医療用ポンプ管理システムのセントラルモニタの表示画面を示す図。
【図３】医療用ポンプ管理システムのベッドサイドモニタの表示画面を示す図。
【図４】医療用ポンプ管理システムのブロック図。
【図５】医療用ポンプ管理システムの処理手順を示すフローチャート。
【図６】セントラルモニタの表示画面を示す図。
【図７】セントラルモニタの表示画面を示す図。
【図８】ベッドサイドモニタの表示画面を示す図。
【図９】ベッドサイドモニタの表示画面を示す図。
【図１０】セントラルモニタの表示画面を示す図。
【図１１】ベッドサイドモニタの表示画面を示す図。
【図１２】ベッドサイドモニタの表示画面を示す図。
【図１３】ベッドサイドモニタの表示画面を示す図。
【図１４】セントラルモニタの表示画面を示す図。
【図１５】ベッドサイドモニタの表示画面を示す図。
【図１６】セントラルモニタの表示画面を示す図。
【図１７】ベッドサイドモニタの表示画面を示す図。
【図１８】ベッドサイドモニタの表示画面を示す図。
【図１９】ベッドサイドモニタの表示画面を示す図。
【発明を実施するための形態】
【００１６】
以下、本発明の一実施形態を図面に基づいて説明する。
図１において、医療用ポンプ管理システム１は、サーバおよび第１サーバとしてのカルテサーバ２と、医療用ポンプ管理装置であって、カルテサーバ２と通信可能な第２サーバとしてのポンプサーバ３と、ポンプサーバ３と通信可能な医療用ポンプ（以下、単にポンプと称することがある）４と、カルテサーバ２と通信可能な端末５と、ポンプサーバ３と通信可能な端末６と、ポンプサーバ３と通信可能な表示装置としてのセントラルモニタ７と、ポンプサーバ３と通信可能な表示装置としてのベッドサイドモニタ８とを備えている。
【００１７】
カルテサーバ２は、いわゆる電子カルテであり、患者に関する各種情報を記憶および管理する。カルテサーバ２は、医療用ポンプ４を特定するポンプ特定情報としてのポンプ識別ＩＤと、医療用ポンプ４の配置区画を特定する区画特定情報としてのベッド識別ＩＤとを、相互に関連付けて送信可能に構成されている。また、カルテサーバ２は、ポンプ識別ＩＤ、患者情報、処方箋情報、および各処方箋情報に割り当てられた処方オーダ番号を相互に関連付けて送信可能に構成されている。
【００１８】
区画特定情報は、医療用ポンプ４の配置区画を特定する情報であり、医療施設内の患者の位置を特定する情報でもある。本実施形態の場合、医療用ポンプ４の配置区画は、医療施設内の患者の位置に対応するとともに、医療施設のベッドに対応している。
患者情報は、患者に関する各種情報であり、患者識別ＩＤ、病棟識別ＩＤ、病室識別ＩＤ、ベッド識別ＩＤ、患者の氏名、年齢、性別、身長、体重、病状および経過等の情報が含まれる。
処方箋情報は、輸液の処方に関する各種情報であり、薬剤識別ＩＤ、薬剤名、輸液の流量、輸液の予定量等が含まれる。
【００１９】
ポンプサーバ３は、医療施設内の複数の医療用ポンプ４の管理を行う専用のサーバである。ポンプサーバ３は、カルテサーバ２から受信したポンプ識別ＩＤで特定される医療用ポンプ４に、患者情報や処方箋情報を送信して記憶させる。また、ポンプサーバ３は、各医療用ポンプ４のポンプ情報を蓄積したり、当該ポンプ情報を各医療用ポンプ４の配置に合わせてセントラルモニタ７やベッドサイドモニタ８に表示させたりする。
ポンプ情報は、医療用ポンプ４の状態に関する各種情報であり、医療用ポンプ４の警報、輸液の設定流量、輸液の設定予定量、輸液完了までの残り時間等の情報が含まれる。
【００２０】
医療用ポンプ４は、患者に輸液を行うポンプであり、患者のベッド周辺に配置される。医療用ポンプ４は、輸液チューブを押圧して輸液を行う輸液ポンプや、シリンジポンプで構成される。
【００２１】
端末５は、医療従事者が携帯する端末であり、例えば、スマートフォンやタブレット端末で構成される。患者に輸液を施す際は、端末５を介して、患者、薬剤、医療用ポンプ４、および医療従事者の４点認証をカルテサーバ２に要求できるようになっている。本実施形態の場合、４点認証の要求は、患者に装着されたリストバンドのバーコード、医療用ポンプ４のバーコード、シリンジ４１または輸液バッグのバーコード、および医療従事者のＩＤカードのバーコードを端末５でスキャンして行う。この際、端末５は、各バーコードに記録された患者識別ＩＤ、処方オーダ番号、薬剤識別ＩＤ、ポンプ識別ＩＤ、および医療従事者識別ＩＤをカルテサーバ２に送信する。
【００２２】
端末６は、例えば、ナースステーションや病室内に設置され、ポンプサーバ３にポンプ識別ＩＤとベッド識別ＩＤとを関連付けて記憶することを要求する関連付要求を送信可能に構成されている。
【００２３】
セントラルモニタ７は、例えば、医療従事者が待機するナースステーションに設置され、病棟全体の医療用ポンプ４の状態を表示可能に構成されている。
【００２４】
ベッドサイドモニタ８は、例えば、病室内や病室近傍に設置され、病室内の全ての医療用ポンプ４の状態を表示可能に構成されている。
【００２５】
図２は、セントラルモニタ７の表示画面Ｄ７を示す図であり、図３は、ベッドサイドモニタ８の表示画面Ｄ８を示す図である。
である。
図２において、セントラルモニタ７の表示画面Ｄ７は、病棟の選択状態を表示する病棟表示領域Ｄ７１、病棟のレイアウトを表示するレイアウト表示領域Ｄ７２、病棟内に配置された各医療用ポンプ４の状態を表示するポンプ状態表示領域Ｄ７３、ベッドに関連付けられていない医療用ポンプ４を表示するベッド未定義ポンプ表示領域Ｄ７４、および日時を表示する日時表示領域Ｄ７５に区画されている。
【００２６】
図２において、レイアウト表示領域Ｄ７２を参照すると、病室ＩＣＵ１には、１つのベッドＩＣＵ１−１が配置され、このベッドＩＣＵ１−１を患者が使用していることがわかる。さらに、病室ＩＣＵ５には、５つのベッドＩＣＵ５−１〜５が配置されているが、そのうちの３つの１のベッドＩＣＵ５−３〜５のみが患者に使用され、残りのベッドＩＣＵ５−１、２は使用されていないことがわかる。
また、ポンプ状態表示領域Ｄ７３を参照すると、ベッドＩＣＵ１−１に関連付けられ、ＳＰ００１のポンプ識別ＩＤを有する医療用ポンプ４で、シリンジ外れの警報が発せられている。
また、ベッド未定義ポンプ表示領域Ｄ７４を参照すると、ベッドに関連付けられていない医療用ポンプ４が３つあることがわかる。
【００２７】
図３において、ベッドサイドモニタ８の表示画面Ｄ８は、病棟の選択状態を表示する病棟表示領域Ｄ８１、ベッド識別ＩＤを表示するベッド情報表示領域Ｄ８２、患者情報を表示する患者情報表示領域Ｄ８３、病室内のベッドに関連付けられた全ての医療用ポンプ４の状態を表示する第１ポンプ状態表示領域Ｄ８４、同じ病棟の他のベッドに関連付けられた医療用ポンプ４の状態を表示する第２ポンプ状態表示領域Ｄ８５、および日時を表示する日時表示領域Ｄ８６に区画されている。
【００２８】
図３において、ベッド情報表示領域Ｄ８２を参照すると、ベッドＩＣＵ１−１についての表示であることがわかる。
また、第１ポンプ状態表示領域Ｄ８４を参照すると、ポンプ識別ＩＤがＳＰ００２の医療用ポンプ４でシリンジ外れの警報が発せられたことや、ポンプ識別ＩＤがＩＰ００２の医療用ポンプ４で輸液完了警報が発せられたことがわかる。
なお、Ｒ０１〜Ｒ０４は、複数のポンプを固定するラックを表している。
【００２９】
［ポンプサーバ］
図４おいて、ポンプサーバ３は、記憶部３０および制御部３１を備えている。
【００３０】
記憶部３０は、ＲＡＭ（Random Access Memory）等の記憶媒体で構成され、制御部３１の制御プログラムや、当該制御プログラムで用いられる各種パラメータを記憶している。記憶部３０は、ポンプ特定情報および区画特定情報、本実施形態ではポンプ識別ＩＤおよびベッド識別ＩＤを、相互に関連付けて記憶可能に構成されている。また、記憶部３０は、ポンプ識別ＩＤと、各ポンプ識別ＩＤに対応する医療用ポンプ４のポンプ情報とを、相互に関連付けて記憶可能に構成されている。
【００３１】
制御部３１は、区画登録判定部３２、区画使用判定部３３、仮登録部３４、区画生成要求判定部３５、関連付要求判定部３６、区画特定情報生成部３７、関連付更新部３８、および表示制御部３９を備えている。
【００３２】
区画登録判定部３２は、カルテサーバ２から受信した区画特定情報が記憶部３０に記憶されているか否かを判定する。本実施形態の場合、区画登録判定部３２は、カルテサーバ２から受信したベッド識別ＩＤに基づいて、当該ベッド識別ＩＤが記憶部３０に記憶されているか否かを判定する。
【００３３】
区画使用判定部３３は、医療用ポンプ４の配置区画が患者に使用されているか否かを判定する。本実施形態の場合、区画使用判定部３３は、カルテサーバ２から受信した患者情報に基づいて、ベッド識別ＩＤで特定されるベッドが使用されているか否かを判定する。
【００３４】
仮登録部３４は、受信した区画特定情報が記憶部３０に記憶されてないときに、当該受信した区画特定情報に関連付けられたポンプ特定情報を仮登録する。本実施形態の場合、仮登録部３４は、受信したベッド識別ＩＤが記憶部３０に記憶されてないときに、当該ベッド識別ＩＤに関連付けられたポンプ識別ＩＤを仮登録する。
【００３５】
区画生成要求判定部３５は、新たな区画特定情報を生成する区画生成要求の有無を判定する。本実施形態の場合、区画生成要求判定部３５は、端末６からの新たなベッド識別ＩＤの生成要求の有無を判定することで、区画生成要求の有無を判定する。
【００３６】
関連付要求判定部３６は、ポンプ識別ＩＤとベッド識別ＩＤとを関連付ける関連付要求の有無を判定する。本実施形態の場合、関連付要求判定部３６は、仮登録されたポンプ識別ＩＤを記憶部３０に記憶されているベッド識別ＩＤに関連付ける要求の有無を判定することで、関連付要求の有無を判定する。
【００３７】
区画特定情報生成部３７は、区画生成要求判定部３５の判定結果に基づいて、新たな区画特定情報を生成する。本実施形態の場合、区画特定情報生成部３７は、端末６からの要求に応じて、新たなベッド識別ＩＤを生成し、記憶部３０に記憶させる。
【００３８】
関連付更新部３８は、関連付更新要求を受信したときに、仮登録されたポンプ特定情報を区画特定情報と関連付けて記憶部３０に記憶させる。本実施形態の場合、関連付更新部３８は、仮登録されたポンプ識別ＩＤを記憶部３０に記憶されているベッド識別ＩＤに関連付ける要求があった場合に、仮登録されたポンプ識別ＩＤをベッド識別ＩＤと関連付けて記憶部３０に記憶させる。
【００３９】
表示制御部３９は、記憶部３０に記憶されたポンプ特定情報で特定される医療用ポンプ４の状態を、その区画特定情報とともにセントラルモニタ７やベッドサイドモニタ８に表示させる。表示制御部３９は、医療用ポンプ４の状態をベッドの配置に合わせて表示させたり、仮登録されたポンプ識別ＩＤで特定される医療用ポンプ４の状態をその配置区画または区画特定情報が仮であることを示して、セントラルモニタ７やベッドサイドモニタ８の所定の領域に表示させたり、仮登録されたポンプ識別ＩＤで特定される医療用ポンプ４の状態を処方特定情報とともに表示させたりする。
【００４０】
［医療用ポンプ管理システムの処理］
以上の医療用ポンプ管理システム１の処理手順について、図５に基づき説明する。
先ず、カルテサーバ２は、端末５からの認証要求の有無を判定する（ステップＳ１）。具体的に、カルテサーバ２は、端末５から処方オーダ番号、薬剤識別ＩＤ、患者識別ＩＤ、医療従事者識別ＩＤ、およびポンプ識別ＩＤを受信したか否かを判定することで、認証要求の有無を判定する。そして、認証要求があると判定された場合、カルテサーバ２は、端末５から受信した処方オーダ番号、薬剤識別ＩＤ、患者識別ＩＤ、および医療従事者識別ＩＤを、記憶部３０に記憶されている患者情報や処方箋情報とを照合して４点認証を行い、認証可否を判定する（ステップＳ２）。
【００４１】
ステップＳ２で認証が認められなかった場合、カルテサーバ２は、端末５に認証不可の信号を送信し、端末５に認証が通らなかったことを表示させる（ステップＳ３）。
ステップＳ２で認証が認められた場合、カルテサーバ２は、処方オーダ番号、処方箋情報、患者情報、およびポンプ識別ＩＤを相互に関連付けてポンプサーバ３に送信する（ステップＳ４）。ポンプサーバ３がカルテサーバ２からこれらの情報を受信すると、区画登録判定部３２は、受信したベッド識別ＩＤが記憶部３０に記憶されているか否か、すなわちベッド識別ＩＤで特定されるベッドが登録されているか否かを判定する（ステップＳ５）。
【００４２】
ステップＳ５でベッド識別ＩＤが記憶部３０に登録されていると判定された場合、関連付更新部３８は、カルテサーバ２から受信したベッド識別ＩＤおよびポンプ識別ＩＤを相互に関連付けて記憶部３０に記憶させる（ステップＳ６）。次いで、区画使用判定部３３は、ベッド識別ＩＤで特定されるベッドが患者に使用されているか否かを判定する（ステップＳ７）。ステップＳ７でベッドが使用されていないと判定されると、表示制御部３９は、各医療用ポンプ４の状態をその区画特定情報とともにセントラルモニタ７やベッドサイドモニタ８に表示させる（ステップＳ８）。その後、ステップＳ１に戻り処理が続けられる。
【００４３】
図６は、処方オーダ受信前のセントラルモニタ７の表示画面である。図６に示す表示画面では、病室の選択状態を表示する病室表示領域Ｄ７６でＩＣＵ５が選択されているため、ＩＣＵ５に配置された４つのベッドＩＣＵ５−１〜４が表示されている。ベッドＩＣＵ５−１〜４には、患者名が記載されておらず、何れのベッドＩＣＵ５−１〜４も使用されていないことがわかる。この状態で、端末５から、例えば、以下のような処方オーダの認証要求がされたとする。
【００４４】
処方オーダ番号：１２３４
患者名：Ａ
ベッド識別ＩＤ：ＩＣＵ５−１
薬剤名：イノバンシリンジ０．１％
ポンプ識別ＩＤ：ＩＰ００１
【００４５】
この場合、図５のステップＳ１〜Ｓ６の処理によって、処方オーダ番号、患者Ａの患者識別ＩＤ、ベッドＩＣＵ５−１のベッド識別ＩＤ、およびポンプ識別ＩＤが相互に関連付けられ、図７に示すように、ベッドＩＣＵ５−１の患者名表示領域Ｄ７７に患者Ａの患者名が表示されるとともに、ベッド未定義ポンプ表示領域Ｄ７４から、ポンプ識別ＩＤがＩＰ００１の医療用ポンプ４の表示が削除される。また、図８に示すベッドサイドモニタ８の表示画面には、当該医療用ポンプ４および患者Ａの患者情報がベッドＩＣＵ５−１に関連付けられて表示される。なお、この医療用ポンプ４による輸液が完了し、処方オーダが終了した旨の操作が端末５で行われると、図９に示すように、当該医療用ポンプ４による輸液が完了したことが表示される。
【００４６】
これに対し、病棟や病室のレイアウト変更等により、記憶部３０に記憶されていない（モニタに表示されていない）ベッドＩＣＵ５−５を指定して処方オーダがなされると、図５のステップＳ５において、カルテサーバ２から受信したベッド識別ＩＤが記憶部３０に登録されていないと判定される。この場合、仮登録部３４は、当該ベッド識別ＩＤに関連付けられたポンプ識別ＩＤを仮想ベッドに関連付けて仮登録する（ステップＳ９）。次いで、ステップＳ８の処理が行なわれ、表示制御部３９は、仮登録されたポンプ識別ＩＤで特定される医療用ポンプ４の状態を、図１０および図１１に示すように、そのベッドの配置区画またはベッド識別ＩＤが仮であることを示して、セントラルモニタ７およびベッドサイドモニタ８に表示させる。
【００４７】
その後、図５のステップＳ１に戻って処理が行われ、ステップＳ１で認証要求がないと判定された場合、区画生成要求判定部３５は、新たなベッド識別ＩＤの生成要求の有無を判定する（ステップＳ１０）。当該生成要求があると判定された場合、区画特定情報生成部３７は、端末６からの要求に応じて、新たなベッド識別ＩＤを生成する（ステップＳ１１）。これにより、記憶部３０に記憶されていないが、実際に存在するベッドに医療用ポンプ４を関連付ける必要がある場合に、新たなベッド識別ＩＤを記憶部３０に記憶させることができる。
【００４８】
ステップＳ１１に続いて、またはステップＳ１０で新たなベッド識別ＩＤの生成要求がないと判定されると、関連付要求判定部３６は、仮登録されたポンプ識別ＩＤを登録されたベッド識別ＩＤに関連付ける関連付要求があるか否かを判定する（ステップＳ１２）。ステップＳ１２でベッド識別ＩＤへの関連付要求があると判定されると、関連付更新部３８は、新たに生成されたベッド識別ＩＤや、既に登録されているベッド識別ＩＤに、ポンプ識別ＩＤを関連付けて記憶部３０に記憶させる（ステップＳ１３）。ステップＳ１３に続いて、またはステップＳ１２でベッド識別ＩＤへの関連付け要求がないと判定されると、ステップＳ８の処理が行われる。
【００４９】
図１０および図１１に示すように、仮想ベッドに関連付けられて仮登録されたポンプ識別ＩＤは、上記ステップＳ１０からステップＳ１１、ステップＳ１２およびそれに続くステップＳ１３の処理により、新たに生成されたベッド識別ＩＤに関連付けられる。具体的には、図１０および図１１に示す仮登録の状態において、図１２に示すように、移動先のベッドＩＣＵ５−１の詳細画面で患者情報タブＤ８７をクリックした後、患者識別ＩＤを入力する。すると、図１１に示す仮想ベッドに関連付けられていた患者情報およびポンプ情報が、図１３に示すように、ベッドＩＣＵ５−１に関連付けて記憶され、仮想ベッドが消滅する。
【００５０】
一方、図５において、ステップＳ７でベッドが使用中だったと判定されると、仮登録部３４は、ベッド識別ＩＤに関連付けられていた元のポンプ識別ＩＤを仮想ベッドに関連付けて仮登録する（ステップＳ１４）。その後、ステップＳ８の処理が行なわれる。
【００５１】
ステップＳ１４の処理は、例えば、図１４および図１５に示すように、ベッドＩＣＵ５−１が患者Ｂによって使用されている状況で、別の患者Ｃに対する処方オーダが当該ベッドＩＣＵ５−１を指定してされた場合に行われる。このような処方オーダがなされた場合、ステップＳ６の処理により、図１６および図１７に示すように、ベッドＩＣＵ５−１に患者Ｃの患者情報と、ポンプ識別ＩＤがＩＰ００１の医療用ポンプ４とが関連付けて記憶され、セントラルモニタ７およびベッドサイドモニタ８に表示される。その後、ステップＳ７でベッドが使用中であると判定されるため、ステップＳ１４の処理が行われ、図１６に示すように、仮想ベッドＩＣＵ５−１［仮］が設定され、元々はベッドＩＣＵ５−１に関連付けられていた患者Ｂの患者情報およびポンプ情報が、図１８に示すように、仮想ベッドＩＣＵ５−１［仮］に関連付けて仮登録される。この際、図１８に示すように、患者Ｂに輸液中の医療用ポンプ４のポンプ情報が、そのまま仮想ベッドＩＣＵ５−１［仮］に関連付けられるため、当該ポンプ情報を仮想ベッドＩＣＵ５−１［仮］の画面で確認することができる。
なお、ベッドＩＣＵ５−１に関連付けられている医療用ポンプ４がない場合、仮想ベッドＩＣＵ５−１［仮］が設定されず、患者Ｂの患者情報が、セントラルモニタ７およびベッドサイドモニタ８から消滅するようにしてもよい。
【００５２】
仮想ベッドＩＣＵ５−１［仮］に関連付けられて仮登録されたポンプ識別ＩＤは、図５のステップＳ１０からステップＳ１１、ステップＳ１２およびそれに続くステップＳ１３の処理により、新たに生成されたベッド識別ＩＤに関連付けられたり、登録されているベッド識別ＩＤに関連付けられたりする。例えば、図１２で説明したときと同様に、移動先のベッドＩＣＵ５−２の詳細画面において、患者情報タブＤ８７をクリックし、患者Ｂの患者識別ＩＤを入力する。すると、図１８に示す仮想ベッドＩＣＵ５−１［仮］から患者Ｂの患者情報およびポンプ情報がベッドＩＣＵ５−２に移動し、図１９に示すように、ベッドＩＣＵ５−２に関連付けて記憶される。これにより、仮想ベッドＩＣＵ５−１［仮］は消滅する。
【００５３】
以上のような実施形態によれば、輸液の処方オーダ時にカルテサーバ２から送信されるポンプ識別ＩＤおよびベッド識別ＩＤを相互に関連付けて記憶させ、医療用ポンプ４の状態をそのベッド識別ＩＤとともにセントラルモニタ７やベッドサイドモニタ８に表示させるため、医療従事者がベッドと医療用ポンプ４との関連付けを手動で行う必要がなく、輸液を行う際の医療従事者の作業負担を軽減することができる。
また、ベッド識別ＩＤが記憶部３０に記憶されてないときに、当該ベッド識別ＩＤに関連付けられたポンプ識別ＩＤを仮登録し、仮登録されたポンプ識別ＩＤで特定される医療用ポンプ４の状態をその配置区画または区画特定情報が仮であることを示して表示させるため、ベッド識別ＩＤが記憶部３０に記憶されていなくても、当該ベッド識別ＩＤに関連付けられた医療用ポンプ４の状態を表示させることができる。
【００５４】
また、医療用ポンプ４の状態をその配置区画に合わせて表示させるとともに、仮登録されたポンプ識別ＩＤで特定される医療用ポンプ４の状態を所定の領域に表示させるため、医療用ポンプ４の配置を視覚的に認識できるとともに、どの医療用ポンプ４が仮登録されているかを容易に見分けることができる。
【００５５】
また、新たなベッド識別ＩＤを生成した上で、仮登録されたポンプ識別ＩＤを新たなベッド識別ＩＤと関連付けて記憶させるため、病棟や病室のレイアウト変更等により、登録されていないベッド識別ＩＤが存在する場合でも、当該ベッド識別ＩＤにポンプ識別ＩＤを関連付けることができる。
【００５６】
また、仮登録された医療用ポンプ４の状態を処方箋情報とともに表示するため、当該医療用ポンプ４の状態を詳細に把握することができる。
【００５７】
なお、本発明は前述の実施形態に限定されるものではなく、本発明の目的を達成できる範囲での変形、改良等は本発明に含まれる。
例えば、記憶部３０に記憶されていない（モニタに表示されていない）病棟識別ＩＤや病室識別ＩＤを指定して処方オーダがなされた場合、表示制御部３９は、図２および図６に示すように、カルテサーバ２から受信したポンプ識別ＩＤをベッド未定義ポンプ表示領域Ｄ７４に表示してもよい。この場合、ベッドに対応した病棟識別ＩＤや病室識別ＩＤを指定して関連付要求を行えば、前述したステップＳ１０からステップＳ１３の処理により、受信したポンプ識別ＩＤをベッド識別ＩＤに関連付けることができる。
【００５８】
端末５は、操作部を介した入力操作により、カルテサーバ２に処方オーダの認証を要求可能に構成されてもよい。また、端末５で要求する認証は、４点認証でなくてもよい。
また、端末５は、新たなベッド識別ＩＤの生成要求を送信可能に構成されてもよい。
さらに、端末５は、携帯端末でなくてもよく、設置端末でもよい。
【００５９】
ポンプ特定情報は、医療用ポンプ４を特定できる情報であればポンプ識別ＩＤに限られず、例えば、医療用ポンプ４の画像、医療用ポンプ４の位置などであってもよい。
区画特定情報は、医療用ポンプ４の配置区画を特定できる情報であればベッド識別ＩＤに限られず、例えば、病棟識別ＩＤや病室識別ＩＤであってもよい。
【符号の説明】
【００６０】
１…医療用ポンプ管理システム、２…カルテサーバ（サーバ、第１サーバ）、３…ポンプサーバ（医療用ポンプ管理装置、第２サーバ）、４…医療用ポンプ、５…端末、６…端末、７…セントラルモニタ（表示装置）、８…ベッドサイドモニタ（表示装置）、３０…記憶部、３１…制御部、３２…区画登録判定部、３３…区画使用判定部、３４…仮登録部、３５…区画生成要求判定部、３６…関連付要求判定部、３７…区画特定情報生成部、３８…関連付更新部、３９…表示制御部。
【図１】
2017163777.tif 000003
【図２】
2017163777.tif 000004
【図３】
2017163777.tif 000005
【図４】
2017163777.tif 000006
【図５】
2017163777.tif 000007
【図６】
2017163777.tif 000008
【図７】
2017163777.tif 000009
【図８】
2017163777.tif 000010
【図９】
2017163777.tif 000011
【図１０】
2017163777.tif 000012
【図１１】
2017163777.tif 000013
【図１２】
2017163777.tif 000014
【図１３】
2017163777.tif 000015
【図１４】
2017163777.tif 000016
【図１５】
2017163777.tif 000017
【図１６】
2017163777.tif 000018
【図１７】
2017163777.tif 000019
【図１８】
2017163777.tif 000020
【図１９】
2017163777.tif 000021
【国際調査報告】
2017163777.tif 000022
2017163777.tif 000023
2017163777.tif 000024
2017163777.tif 000025